(57)【要約】【課題】多様なバンドグループに対応する周波数信号生成装置を提供する。【解決手段】周波数生成信号、補助周波数選択信号、符号選択信号、及び分周選択信号を生成する制御回路と、第１周波数信号を生成し第１周波数信号を分周して第２周波数信号を生成する基準周波数信号生成器と、第３周波数信号を生成し第３周波数信号を分周して第４周波数信号と第６周波数信号を生成し、補助周波数選択信号に応答して第４周波数信号と第６周波数信号とから第７周波数信号を生成する補助周波数信号生成器と、符号選択信号に応答して第７周波数信号の符号を選択し、第７周波数信号と第２周波数信号とを混合して第８周波数信号と第９周波数信号を生成する混合器と、分周選択信号に応答して第８周波数信号を出力し第９周波数信号を分周するようにスイッチングするスイッチと、スイッチに接続され第９周波数信号を分周して第１０周波数信号を出力する第１分周器と、を有する。【選択図】図１
2011160416.tif 000002
【特許請求の範囲】
【請求項１】
周波数情報に対応する周波数生成信号、補助周波数選択信号、符号選択信号、及び分周選択信号を生成する制御回路と、
少なくとも１つの第１周波数信号を生成し、生成された第１周波数信号を分周して第２周波数信号を生成する基準周波数信号生成器と、
第３周波数信号を生成し、該第３周波数信号を各々異なる分周比で分周して第４周波数信号と第６周波数信号とを生成し、前記補助周波数選択信号に応答して該第４周波数信号と第６周波数信号とから第７周波数信号を生成する補助周波数信号生成器と、
前記符号選択信号に応答して前記第７周波数信号の符号を選択し、前記符号選択された第７周波数信号と前記第２周波数信号とを混合して第８周波数信号と第９周波数信号とを生成する混合器と、
前記分周選択信号に応答して前記周波数情報に対応する前記第８周波数信号を出力するようにスイッチングし、前記第９周波数信号を分周するようにスイッチングするスイッチと、
前記スイッチに接続され、前記第９周波数信号を分周して前記周波数情報に対応する第１０周波数信号を出力する第１分周器と、を有することを特徴とする周波数信号生成装置。
【請求項２】
前記基準周波数信号生成器は、
前記周波数生成信号に応答して前記少なくとも１つの第１周波数信号を生成する第１位相固定ループと、
前記第１位相固定ループに接続され、前記少なくとも１つの第１周波数信号を１／２に分周して第２周波数信号を生成する第２分周器と、を含むことを特徴とする請求項１に記載の周波数信号生成装置。
【請求項３】
前記補助周波数信号生成器は、
前記第３周波数信号を生成する第２位相固定ループと、
前記第３周波数信号を１／４に分周して前記第４周波数信号を生成する第３分周器と、
前記第４周波数信号の高調波を除去して第５周波数信号を生成する高調波除去器と、
前記第３周波数信号を１／２に分周して前記第６周波数信号を生成する第４分周器と、
前記高調波除去器と前記第４分周器に接続され、前記第５周波数信号と前記第６周波数信号のうちの１つの周波数信号を選択して前記第７周波数信号を出力する選択器と、
前記第２周波数信号と前記第７周波数信号とを混合して前記第８周波数信号と前記第９周波数信号のうちの１つを出力する混合器と、を含むことを特徴とする請求項２に記載の周波数信号生成装置。
【請求項４】
前記第１位相固定ループは、前記周波数生成信号に応答し、バンドグループ３の周波数信号を生成する場合に１５３１２ＭＨｚの第１周波数信号を生成し、バンドグループ１の周波数信号を生成する場合に１５８４０ＭＨｚの第１周波数信号を生成し、バンドグループ４と６の周波数信号を生成する場合に１６３６８ＭＨｚの第１周波数信号を生成し、
前記第２分周器は、前記第１周波数信号のそれぞれを１／２に分周して７６５６ＭＨｚ、７９２０ＭＨｚ、及び８１８４ＭＨｚのうちの１つの第２周波数信号を生成することを特徴とする請求項３に記載の周波数信号生成装置。
【請求項５】
前記第２位相固定ループは２１１２ＭＨｚの第３周波数信号を生成し、
前記第３分周器は前記第３周波数信号を１／４に分周して５２８ＭＨｚの第４周波数信号を生成し、
前記第４分周器は前記第３周波数信号を１／２に分周して１０５６ＭＨｚの第６周波数信号を生成し、
前記選択器は、前記第４周波数信号と前記第６周波数信号とを用いて０ＭＨｚ、５２８ＭＨｚ、１０５６ＭＨｚのうちの１つの第７周波数信号を選択することを特徴とする請求項４に記載の周波数信号生成装置。
【請求項６】
前記混合器は、
負の符号が選択された１０５６ＭＨｚ、負の符号が選択された５２８ＭＨｚ、及び０ＭＨｚの第７周波数信号のうちの１つの信号と７６５６ＭＨｚの第２周波数信号とを混合してバンドグループ３に対応する第８周波数信号を生成し、
０ＭＨｚ、正の符号が選択された５２８ＭＨｚ、正の符号が選択された１０５６ＭＨｚの第７周波数信号のうちの１つの信号と８１８４ＭＨｚの第２周波数信号とを混合してバンドグループ４に対応する第８周波数信号を生成し、
負の符号が選択された５２８ＭＨｚ、０ＭＨｚ、正の符号が選択された５２８ＭＨｚの第７周波数信号のうちの１つの信号と８１８４ＭＨｚの第２周波数信号とを混合してバンドグループ６に対応する第８周波数信号を生成し、
負の符号が選択された１０５６ＭＨｚ、０ＭＨｚ、正の符号が選択された１０５６ＭＨｚの第７周波数信号のうちの１つの信号と７９２０ＭＨｚの第２周波数信号とを混合して６８６４ＭＨｚ、７９２０ＭＨｚ、及び８９７６ＭＨｚの第９周波数信号を生成することを特徴とする請求項５に記載の周波数信号生成装置。
【請求項７】
前記第１分周器は、６８６４ＭＨｚ、７９２０ＭＨｚ、及び８９７６ＭＨｚの第９周波数信号を１／２に分周してバンドグループ１に対応する第１０周波数信号を生成することを特徴とする請求項６に記載の周波数信号生成装置。
【請求項８】
前記高調波除去器は前記第４周波数信号から正弦波形態の第５周波数信号を生成することを特徴とする請求項３に記載の周波数信号生成装置。
【請求項９】
前記高調波除去器は、
位相選択信号に応答して前記第４周波数信号の位相信号のうちの少なくとも一部の位相信号を選択する位相信号選択器と、
１：√２：１の電流比をそれぞれ有する第１〜第３の電流源からなる複数の電流源と、
前記複数の電流源のそれぞれに接続され、前記選択された各位相信号をゲート入力にして前記第５周波数信号を生成するＮＭＯＳトランジスタと、を含み、
前記制御回路は前記位相選択信号を生成することを特徴とする請求項８に記載の周波数信号生成装置。
【発明の詳細な説明】
【技術分野】
【０００１】
本発明は、広帯域通信システムに係り、多様なバンドグループの周波数信号を生成する周波数信号生成装置に関する。
【背景技術】
【０００２】
一般的に広帯域通信システムは一定帯域幅を有する複数の周波数帯域を利用して所望するデータを送るシステムである。広帯域通信システムは一定帯域幅を有する複数のサブバンド周波数帯域を利用して所望するデータを送ることによって、単位時間当たり多くの情報を送ることができるシステムである。
【０００３】
このような広帯域通信システムを実現するための方式の１つとして、多重帯域直交周波数分割多重（Ｍｕｌｔｉ−Ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下‘ＭＢ−ＯＦＤＭ’という）方式がある。ＭＢ−ＯＦＤＭ方式は各国別に異なる周波数割り当てに対応して流動的に使うことができる長所を持っている。これによって、ＭＢ−ＯＦＤＭ方式の広帯域無線通信システムが活発に開発されている。
【０００４】
ＭＢ−ＯＦＤＭ方式は３．１ＧＨｚ〜１０．６ＧＨｚの全体周波数が６個のバンドグループに分けられ、各バンドグループは５２８ＭＨｚ帯域幅の多重チャンネルで構成される。最も低周波帯域である第１バンドグループの３個のチャンネルは必須であり、残りのバンドグループは選択事項である。
【０００５】
広帯域通信システムにおける周波数信号生成装置は各バンドグループ中心の周波数信号のみを生成していた。最近ではそれぞれ異なるバンドを有する装置を１つの装置に統合して多重バンド多重モード（ｍｕｌｔｉ−ｂａｎｄ  ｍｕｌｔｉ−ｍｏｄｅ）通信を支援する無線サービスが要求されている。
【先行技術文献】
【特許文献】
【０００６】
【特許文献１】韓国公開特許２００７−０１０４２９２号明細書
【発明の概要】
【発明が解決しようとする課題】
【０００７】
本発明は、上記従来技術に鑑みてなされたものであって、本発明の目的は、多様なバンドグループの周波数信号を生成する周波数信号生成装置を提供することにある。
また、本発明の目的は、多重帯域直交周波数分割多重（ＭＢ−ＯＦＤＭ）バンドグループ１、３、４、及び６に対応する全ての周波数信号を生成する周波数信号生成装置を提供することにある。
【課題を解決するための手段】
【０００８】
本発明による周波数信号生成装置は、周波数情報に対応する周波数生成信号、補助周波数選択信号、符号選択信号、及び分周選択信号を生成する制御回路と、少なくとも１つの第１周波数信号を生成し、生成された第１周波数信号を分周して第２周波数信号を生成する基準周波数信号生成器と、第３周波数信号を生成し、該第３周波数信号を各々異なる分周比に分周して第４周波数信号と第６周波数信号とを生成し、前記補助周波数選択信号に応答して該第４周波数信号と第６周波数信号とから第７周波数信号を生成する補助周波数信号生成器と、前記符号選択信号に応答して前記第７周波数信号の符号を選択し、前記符号選択された第７周波数信号と前記第２周波数信号とを混合して第８周波数信号と第９周波数信号とを生成する混合器と、前記分周選択信号に応答して前記周波数情報に対応する前記第８周波数信号を出力するようにスイッチングし、前記第９周波数信号を分周するようにスイッチングするスイッチと、前記スイッチに接続され、前記第９周波数信号を分周して前記周波数情報に対応する第１０周波数信号を出力する第１分周器と、を有する。
【０００９】
この実施形態において、前記基準周波数信号生成器は、前記周波数生成信号に応答して前記少なくとも１つの第１周波数信号を生成する第１位相固定ループと、前記第１位相固定ループに接続され、前記少なくとも１つの第１周波数信号を１／２に分周して第２周波数信号を生成する第２分周器と、を含む。
この実施形態において、前記補助周波数信号生成器は、前記第３周波数信号を生成する第２位相固定ループと、前記第３周波数信号を１／４に分周して前記第４周波数信号を生成する第３分周器と、前記第４周波数信号の高調波を除去して第５周波数信号を生成する高調波除去器と、前記第３周波数信号を１／２に分周して前記第６周波数信号を生成する第４分周器と、前記高調波除去器と前記第４分周器に接続され、前記第５周波数信号と前記第６周波数信号のうちの１つの周波数信号を選択して前記第７周波数信号を出力する選択器と、前記第２周波数信号と前記第７周波数信号とを混合して前記第８周波数信号と前記第９周波数信号のうちの１つを出力する混合器と、を含む。
この実施形態において、前記第１位相固定ループは、前記周波数生成信号に応答し、バンドグループ３の周波数信号を生成する場合に１５３１２ＭＨｚの第１周波数信号を生成し、バンドグループ１の周波数信号を生成する場合に１５８４０ＭＨｚの第１周波数信号を生成し、バンドグループ４と６の周波数信号を生成する場合に１６３６８ＭＨｚの第１周波数信号を生成し、前記第２分周器は、前記第１周波数信号のそれぞれを１／２に分周して７６５６ＭＨｚ、７９２０ＭＨｚ、及び８１８４ＭＨｚのうちの１つの第２周波数信号を生成する。
この実施形態において、前記第２位相固定ループは２１１２ＭＨｚの第３周波数信号を生成し、前記第３分周器は前記第３周波数信号を１／４に分周して５２８ＭＨｚの第４周波数信号を生成し、前記第４分周器は前記第３周波数信号を１／２に分周して１０５６ＭＨｚの第６周波数信号を生成し、前記選択器は、前記第４周波数信号と前記第６周波数信号とを用いて０ＭＨｚ、５２８ＭＨｚ、１０５６ＭＨｚのうちの１つの第７周波数信号を選択する。
この実施形態において、前記混合器は、負の符号が選択された１０５６ＭＨｚ、負の符号が選択された５２８ＭＨｚ、及び０ＭＨｚの第７周波数信号のうちの１つの信号と７６５６ＭＨｚの第２周波数信号とを混合してバンドグループ３に対応する第８周波数信号を生成し、０ＭＨｚ、正の符号が選択された５２８ＭＨｚ、正の符号が選択された１０５６ＭＨｚの第７周波数信号のうちの１つの信号と８１８４ＭＨｚの第２周波数信号とを混合してバンドグループ４に対応する第８周波数信号を生成し、負の符号が選択された５２８ＭＨｚ、０ＭＨｚ、正の符号が選択された５２８ＭＨｚの第７周波数信号のうちの１つの信号と８１８４ＭＨｚの第２周波数信号とを混合してバンドグループ６に対応する第８周波数信号を生成し、負の符号が選択された１０５６ＭＨｚ、０ＭＨｚ、正の符号が選択された１０５６ＭＨｚの第７周波数信号のうちの１つの信号と７９２０ＭＨｚの第２周波数信号とを混合して６８６４ＭＨｚ、７９２０ＭＨｚ、及び８９７６ＭＨｚの第９周波数信号を生成する。
この実施形態において、前記第１分周器は、６８６４ＭＨｚ、７９２０ＭＨｚ、及び８９７６ＭＨｚの第９周波数信号を１／２に分周してバンドグループ１に対応する第１０周波数信号を生成する。
この実施形態において、前記高調波除去器は前記第４周波数信号から正弦波形態の第５周波数信号を生成する。
この実施形態において、前記高調波除去器は、位相選択信号に応答して前記第４周波数信号の位相信号のうちの少なくとも一部の位相信号を選択する位相信号選択器と、１：√２：１の電流比をそれぞれ有する第１〜第３の電流源からなる複数の電流源と、前記複数の電流源のそれぞれに接続され、前記選択された各位相信号をゲート入力にして前記第５周波数信号を生成するＮＭＯＳトランジスタと、を含み、前記制御回路は前記位相選択信号を生成する。
【発明の効果】
【００１０】
本発明によれば、周波数信号生成装置は多様なバンドグループの周波数信号を生成することができる。また、周波数信号生成装置は多重帯域直交周波数分割多重（ＭＢ−ＯＦＤＭ）バンドグループ１、３、４、及び６に対応する全ての周波数信号を生成することができる。
【図面の簡単な説明】
【００１１】
【図１】本発明の一実施形態による周波数信号生成装置の構造を示す図である。
【図２】図１に示した第１位相固定ループの構造を例示的に示す図である。
【図３】図１に示した高調波除去器を例示的に示す図である。
【図４】図３に示した高調波除去器の出力信号を例示的に示す図である。
【図５】図３に示した高調波除去器の高調波除去動作を一例として示す図である。
【図６】図１に示した選択器の構造を例示的に示す図である。
【図７】図１に示した混合器の構造を例示的に示す図である。
【図８】図１に示したスイッチの構造を例示的に示す図である。
【図９】本発明の一実施形態による周波数信号生成装置を適用した送信機の構造を示す図である。
【発明を実施するための形態】
【００１２】
以下、本発明の周波数信号生成装置を実施するための形態の具体例を、図面を参照しながら詳細に説明する。下記では本発明による動作を理解するのに必要な部分のみを説明しており、それ以外の部分の説明は本発明の要旨を曖昧にしないために省略する。
【００１３】
広帯域通信システムを実現するための方式の１つとして多重帯域直交周波数分割多重（Ｍｕｌｔｉ−Ｂａｎｄ  Ｏｒ  ｔｈｏｇｏｎａｌ  Ｆｒｅｑｕｅｎｃｙ  Ｄｉｖｉｓｉｏｎ  Ｍｕｌｔｉｐｌｅｘｉｎｇ、以下‘ＭＢ−ＯＦＤＭ’という）方式がある。
【００１４】
ＭＢ−ＯＦＤＭ方式は３．１ＧＨｚ〜１０．６ＧＨｚの全体周波数が６個のバンドグループに分けられ、各バンドグループは５２８ＭＨｚ帯域幅の多重チャンネルで構成される。最も低周波帯域である第１バンドグループの３個のチャンネルは必須であり、残りバンドグループは選択事項である。
【００１５】
下記のＭＢ−ＯＦＤＭ方式のバンドグループを、一例として、表１に示した。
【００１６】
【表１】
2011160416.tif 000003
【００１７】
本発明はバンドグループの中でもバンドグループ１、３、４、６の周波数信号を生成する周波数信号生成装置を提案する。
【００１８】
図１は、本発明の一実施形態による周波数信号生成装置の構造を示す図である。
【００１９】
図１を参照すると、周波数信号生成装置は、基準周波数信号生成器（ｒｅｆｅｒｅｎｃｅｆｒｅｑｕｅｎｃｙ  ｇｅｎｅｒａｔｉｏｎ  ｕｎｉｔ）１００と、補助周波数信号生成器（ａｓｓｉｓｔａｎｃｅ  ｆｒｅｑｕｅｎｃｙ  ｇｅｎｅｒａｔｉｏｎ  ｕｎｉｔ）２００と、混合器（ｍｉｘｅｒ）３００と、スイッチ（ｓｗｉｔｃｈ）４００と、第１分周器（ｄｉｖｉｄｅｒ）５００と、制御回路（ｃｏｎｔｒｏｌ  ｃｉｒｃｕｉｔ）６００とを含む。
【００２０】
基準周波数信号生成器１００は第１位相固定ループ（ＰＬＬ：Ｐｈａｓｅ  Ｌｏｃｋｅｄ  Ｌｏｏｐ）１１０と第２分周器１２０とを含む。基準周波数信号生成器１００は１、３、４、及び６バンドグループ（ｂａｎｄｇｒｏｕｐ）の周波数生成のための基準周波数信号（即ち、第２周波数信号ＲＦ２）を生成する。
【００２１】
第１位相固定ループ１１０は周波数生成信号ＣＮＴに応答して第１周波数信号ＲＦ１を生成する。第１周波数信号ＲＦ１は１５３１２ＭＨｚ、１５８４０ＭＨｚ、及び１６３６８ＭＨｚ帯域の周波数信号を含む。第１位相固定ループ１１０は１５３１２ＭＨｚ、１５８４０ＭＨｚ、１６３６８ＭＨｚ帯域の周波数信号のうちで周波数生成信号ＣＮＴに対応する第１周波数を生成する。第１位相固定ループ１１０の周波数チューニングレンジ（ｆｒｅｑｕｅｎｃｙ  ｔｕｎｉｎｇ  ｒａｎｇｅ）は７％以内の範囲である。
【００２２】
第２分周器１２０は第１周波数信号ＲＦ１を１／２分周して第２周波数信号ＲＦ２を生成する。第２周波数信号は７６５６ＭＨｚ、７９２０ＭＨｚ、及び８１８４ＭＨｚ帯域の周波数信号を含む。
【００２３】
補助周波数信号生成器２００は、第２位相固定ループ２１０と、第３分周器２２０と、高調波除去器（ｈａｒｍｏｎｉｃｒｅｊｅｃｔｉｏｎ  ｂｌｏｃｋ）２３０と、第４分周器２４０とを含む。補助周波数信号生成器２００は基準周波数信号との混合のための補助周波数（即ち、第７周波数信号ＲＦ７）を生成する。
【００２４】
第２位相固定ループ２１０は第３周波数信号ＲＦ３を生成する。第３周波数信号は２１１２ＭＨｚ帯域の周波数信号を含む。
【００２５】
第３分周器２２０は第３周波数信号ＲＦ３を１／４分周して第４周波数信号ＲＦ４を生成する。第４周波数信号ＲＦ４は５２８ＭＨｚ帯域の周波数信号を含む。
【００２６】
高調波除去器２３０は第４周波数信号ＲＦ４の高調波を除去する。高調波除去器２３０は位相選択信号ＰＳＥＬに応答して高調波が除去された第５周波数信号ＲＦ５を生成する。高調波除去器２３０は高調波除去のために一例として、正弦波（ｓｉｎｅ  ｗａｖｅ）形態の第５周波数信号ＲＦ５を生成する。第５周波数信号ＲＦ５は５２８ＭＨｚ帯域の周波数信号である。
【００２７】
第４分周器２４０は第３周波数信号ＲＦ３を１／２分周して第６周波数信号ＲＦ６を生成する。第６周波数信号ＲＦ６は１０５６ＭＨｚ帯域の周波数信号である。
【００２８】
選択器２５０は補助周波数選択信号ＦＳＥＬに応答して第５周波数信号ＲＦ５、第６周波数信号ＲＦ６、０ＭＨｚ帯域の周波数信号のうちの１つを選択する。選択器２５０は０ＭＨｚ帯域の周波数信号を生成するために第５周波数信号ＲＦ５と第６周波数信号ＲＦ６とをスイッチング（一例として、スイッチングオフ動作）しないか、又は接地端に接続された端子をスイッチングする。
【００２９】
選択器２５０は補助周波数選択信号ＦＳＥＬに応答して第７周波数信号ＲＦ７を出力する。第７周波数信号ＲＦ７は１０５６ＭＨｚ、５２８ＭＨｚ、０ＭＨｚ帯域のうちの１つの帯域に対応する周波数信号である。選択器２５０は、一例として、周波数選択器（ｆｒｅｑｕｅｎｃｙ  ｓｅｌｅｃｔｏｒ）である。
【００３０】
混合器３００は基準周波数信号生成器１００と補助周波数信号生成器２００に接続される。混合器３００は基準周波数信号（第２周波数信号ＲＦ２）と補助周波数信号（第７周波数信号ＲＦ７）とを混合して第８周波数信号ＲＦ８又は第９周波数信号ＲＦ９を生成する。第８周波数信号ＲＦ８はバンドグループ３、４、６に対応する周波数信号（６６００ＭＨｚ、７１２８ＭＨｚ、７６５６ＭＨｚ、８１８４ＭＨｚ、８７１２ＭＨｚ、９２４０ＭＨｚ、７６５６ＭＨｚ、８１８４ＭＨｚ、及び８７１２ＭＨｚ）を含む。第９周波数信号ＲＦ９はバンドグループ１帯域の周波数信号生成のための周波数信号（６８６４ＭＨｚ、７９２０ＭＨｚ、及び８９７６ＭＨｚ）を含む。
【００３１】
第２周波数信号ＲＦ２と第７周波数信号ＲＦ７との混合のために混合器３００は符号選択信号ＳＳＥＬに応答して第７周波数信号ＲＦ７の符号＋／−を選択する。混合器３００は、一例として、シングルサイドバンド（ＳＳＢ：Ｓｉｎｇｌｅ  Ｓｉｄｅ  Ｂａｎｄ）混合器である。
【００３２】
第８周波数信号ＲＦ８を生成する混合器の動作は次の通りである。
【００３３】
第一は、混合器３００がバンドグループ３帯域の周波数信号６６００ＭＨｚ、７１２８ＭＨｚ、及び７６５６ＭＨｚを生成する場合を説明する。
【００３４】
混合器３００は７６５６ＭＨｚ帯域の第２周波数信号ＲＦ２と負−の符号が選択された１０５６ＭＨｚ帯域の第７周波数信号ＲＦ７とを混合して６６００ＭＨｚ（７６５６ＭＨｚ−１０５６ＭＨｚ）帯域の第８周波数信号ＲＦ８を出力する。
【００３５】
混合器３００は７６５６ＭＨｚ帯域の第２周波数信号ＲＦ２と負−の符号が選択された５２８ＭＨｚ帯域の第７周波数信号ＲＦ７とを混合して７１２８ＭＨｚ（７６５６ＭＨｚ−５２８ＭＨｚ）帯域の第８周波数信号ＲＦ８を出力する。
【００３６】
混合器３００は７６５６ＭＨｚ帯域の第２周波数信号ＲＦ２と０ＭＨｚ帯域の第７周波数信号ＲＦ７とを混合して７６５６ＭＨｚ（７６５６ＭＨｚ＋０ＭＨｚ）帯域の第８周波数信号ＲＦ８を出力する。
【００３７】
第２は、混合器３００がバンドグループ４帯域の周波数信号８１８４ＭＨｚ、８７１２ＭＨｚ、及び９２４０ＭＨｚを生成する場合を説明する。
【００３８】
混合器３００は８１８４ＭＨｚ帯域の第２周波数信号ＲＦ２と０ＭＨｚ帯域の第７周波数信号ＲＦ７とを混合して８１８４ＭＨｚ（８１８４ＭＨｚ＋０ＭＨｚ）帯域の第８周波数信号ＲＦ８を出力する。
【００３９】
混合器３００は８１８４ＭＨｚ帯域の第２周波数信号ＲＦ２と正＋の符号が選択された５２８ＭＨｚ帯域の第７周波数信号ＲＦ７とを混合して８７１２ＭＨｚ（８１８４ＭＨｚ＋５２８ＭＨｚ）帯域の第８周波数信号ＲＦ８を出力する。
【００４０】
混合器３００は８１８４ＭＨｚ帯域の第２周波数信号ＲＦ２と正＋の符号が選択された１０５６ＭＨｚ帯域の第７周波数信号ＲＦ７とを混合して９２４０ＭＨｚ（８１８４ＭＨｚ＋１０５６ＭＨｚ）帯域の第８周波数信号ＲＦ８を出力する。
【００４１】
第３は、混合器３００がバンドグループ６帯域の周波数信号７６５６ＭＨｚ、８１８４ＭＨｚ、及び８７１２ＭＨｚを生成する場合を説明する。
【００４２】
混合器３００は８１８４ＭＨｚ帯域の第２周波数信号ＲＦ２と負−の符号が選択された５２８ＭＨｚ帯域の第７周波数信号ＲＦ７とを混合して７６５６ＭＨｚ（８１８４ＭＨｚ−５２８ＭＨｚ）帯域の第８周波数信号ＲＦ８を出力する。
【００４３】
混合器３００は８１８４ＭＨｚ帯域の第２周波数信号ＲＦ２と０ＭＨｚ帯域の第７周波数信号ＲＦ７とを混合して８１８４ＭＨｚ（８１８４ＭＨｚ＋０ＭＨｚ）帯域の第８周波数信号ＲＦ８を出力する。
【００４４】
混合器３００は８１８４ＭＨｚ帯域の第２周波数信号ＲＦ２と正＋の符号が選択された５２８ＭＨｚ帯域の第７周波数信号ＲＦ７とを混合して８７１２ＭＨｚ（８１８４ＭＨｚ＋５２８ＭＨｚ）帯域の第８周波数信号ＲＦ８を出力する。
【００４５】
第９周波数信号を生成する混合器３００の動作は次の通りである。
【００４６】
混合器３００は７９２０ＭＨｚ帯域の第２周波数信号ＲＦ２と負−の符号が選択された１０５６ＭＨｚ帯域の第７周波数信号ＲＦ７とを混合して６８６４ＭＨｚ（７９２０ＭＨｚ−１０５６ＭＨｚ）帯域の第９周波数信号ＲＦ９を出力する。
【００４７】
混合器３００は７９２０ＭＨｚ帯域の第２周波数信号ＲＦ２と０ＭＨｚ帯域の第７周波数信号ＲＦ７とを混合して７９２０ＭＨｚ帯域（７９２０ＭＨｚ＋０ＭＨｚ）の第９周波数信号ＲＦ９を出力する。
【００４８】
混合器３００は７９２０ＭＨｚ帯域の第２周波数信号ＲＦ２と正＋の符号が選択された１０５６ＭＨｚ帯域の第７周波数信号ＲＦ７とを混合して８９７６ＭＨｚ（７９２０ＭＨｚ＋１０５６ＭＨｚ）帯域の第９周波数信号ＲＦ９を出力する。
【００４９】
スイッチ４００は分周選択信号ＤＳＥＬに応答して第９周波数信号ＲＦ９を第１分周器５００にスイッチングし、第８周波数信号ＲＦ８を出力する。
【００５０】
第１分周器５００は第９周波数信号ＲＦ９を１／２分周して第１０周波数信号ＲＦ１０を生成する。第１０周波数信号ＲＦ１０は３４３２ＭＨｚ、３９６０ＭＨｚ、及び４４８８ＭＨｚ帯域の周波数信号を含む。第１０周波数信号ＲＦ１０はバンドグループ１帯域の周波数信号である。
【００５１】
制御回路６００は、周波数情報に対応する周波数信号生成のために周波数生成信号ＣＮＴ、位相選択信号ＰＳＥＬ、補助周波数選択信号ＦＳＥＬ、符号選択信号ＳＳＥＬ、及び分周選択信号ＤＳＥＬを生成する。周波数情報は、周波数信号生成装置で生成する周波数の一例として、バンドグループ１、３、４、６に該当する周波数のうちの少なくとも１つに対する情報を含む。
【００５２】
図２は、図１に示した第１位相固定ループの構造を例示的に示す図である。
【００５３】
図２を参照すると、第１位相固定ループ１１０は、位相検出器（ｐｈａｓｅ  ｄｅｔｅｃｔｏｒ）１１１と、電荷ポンプ（ｃｈａｒｇｅ  ｐｕｍｐ）１１２と、ループフィルタ（ｌｏｏｐ  ｆｉｌｔｅｒ）１１３と、電圧制御発振器（ＶＣＯ：ｖｏｌｔａｇｅ  Ｃｏｎｔｒｏｌｌｅｄ  Ｏｓｃｉｌｌａｔｏｒ）１１４と、第５分周器（Ｄｉｖｉｄｅｒ）１１５とを含む。
【００５４】
第５分周器１１５は周波数生成信号ＣＮＴに応答して第１周波数信号ＲＦ１を周波数生成信号ＣＮＴに対応する割合（一例として、１／Ｎ、ここで、Ｎは実数）に分周する。
【００５５】
位相検出器１１１は第１位相固定ループ１１０内部で生成された基準周波数信号ＲＥＦと第５分周器１１５で分周された第１周波数信号ＲＦ１の周波数差を比較する。位相検出器１１１は周波数差に対応する直流（ＤＣ：Ｄｉｒｅｃｔ  Ｃｕｒｒｅｎｔ）信号を出力する。
【００５６】
電荷ポンプ１１２は直流信号のパルス幅による電荷ポンピング動作を実行する。電荷ポンプ１１２はポンピングされた電荷を出力する。
【００５７】
ループフィルタ１１３はポンピングされた電荷を蓄積し、ポンピングされた電荷に含まれた雑音周波数をフィルタリングする。ループフィルタ１１３は、一例として、低域通過フィルタ（ＬＰＦ：Ｌｏｗ  Ｐａｓｓ  Ｆｉｌｔｅｒ）である。
【００５８】
電圧制御発振器１１４はループフィルタ１１３から出力される制御電圧に応答して特定周波数信号を出力する。電圧制御発振器は特定帯域の周波数信号（一例として、第１周波数信号ＲＦ１）を出力する。
【００５９】
図３は、図１に示した高調波除去器を例示的に示す図である。
【００６０】
図３を参照すると、高調波除去器２３０は第１高調波除去部２３０ａと第２高調波除去部２３０ｂとを含む。ここで、第１高調波除去部２３０ａと第２高調波除去部２３０ｂの構造は類似であるので、第１高調波除去部２３０ａに基づいて説明する。
【００６１】
第１高調波除去部２３０ａは、第１位相信号選択器２３１ａと、電流源２３３ａ、２３５ａ、２３７ａと、ＮＭＯＳトランジスタＮ１、Ｎ２、Ｎ３、Ｎ４、Ｎ５、Ｎ６、Ｍ１、Ｍ２と、ＰＭＯＳトランジスタＰ１、Ｐ２、Ｐ３、Ｐ４とを含む。
【００６２】
第１位相信号選択器２３１ａはＮＭＯＳトランジスタＮ１、Ｎ２、Ｎ３、Ｎ４、Ｎ５、Ｎ６のそれぞれに接続されている。
【００６３】
第１位相信号選択器２３１ａは位相選択信号ＰＳＥＬに応答して第４周波数信号ＲＦ４で６個の位相信号（一例としてｉｎＡｐ、ｉｎＡＮ、ｉｎＢＰ、ｉｎＢＮ、ｉｎＣＰ及びｉｎＣＮ）を選択する。第４周波数信号は６個の位相信号（一例としてｉｎＡＰ、ｉｎＡＮ、ｉｎＢＰ、ｉｎＢＮ、ｉｎＣＰ、ｉｎＣＮ）を含む。
【００６４】
第１電流源２３３ａ〜第３電流源２３７ａはそれぞれ接地端に接続されている。第１電流源２３３ａは第１ＮＭＯＳトランジスタＮ１と第２ＮＭＯＳトランジスタＮ２との接点に接続されている。第１電流源２３３ａはＩＯの電流を生成する。第２電流源２３５ａは第３ＮＭＯＳトランジスタＮ３と第４ＮＭＯＳトランジスタＮ４との接点に接続されている。第２電流源２３５ａは√２ＩＯ電流を生成する。第３電流源２３７ａは第５ＮＭＯＳトランジスタＮ５と第６ＮＭＯＳトランジスタＮ６との接点に接続されている。第３電流源２３７ａはＩＯの電流を生成する。第１電流源２３３ａ〜第３電流源２３７ａの各電流値は１：√２：１の割合を有する。
【００６５】
第１ＮＭＯＳトランジスタＮ１は第１ＰＭＯＳトランジスタＰ１と第２ＰＭＯＳトランジスタＰ２のゲートの接点に接続されている。一例として、第１ＮＭＯＳトランジスタＮ１にはゲートを通じて第１位相信号ｉｎＡｐが入力される。第１ＮＭＯＳトランジスタＮ１は第１位相信号ｉｎＡｐを第１電流源２３３ａの電流値に対応する大きさで出力する。
【００６６】
第２ＮＭＯＳトランジスタＮ２は第３ＰＭＯＳトランジスタＰ３と第４ＰＭＯＳトランジスタＰ４のゲートの接点に接続されている。一例として、第２ＮＭＯＳトランジスタＮ２にはゲートを通じて第２位相信号ｉｎＡＮが入力される。第２ＮＭＯＳトランジスタＮ２は第２位相信号ｉｎＡＮを第１電流源２３３ａの電流値に対応する大きさで出力する。
【００６７】
第３ＮＭＯＳトランジスタＮ３は第１ＰＭＯＳトランジスタＰ１と第２ＰＭＯＳトランジスタＰ２のゲートの接点に接続されている。一例として、第３ＮＭＯＳトランジスタＮ３にはゲートを通じて第３位相信号ｉｎＢＰが入力される。第３ＮＭＯＳトランジスタＮ３は第３位相信号ｉｎＢＰを第２電流源２３５ａの電流値に対応する大きさで出力する。
【００６８】
第４ＮＭＯＳトランジスタＮ４は第３ＰＭＯＳトランジスタＰ３と第４ＰＭＯＳトランジスタＰ４のゲートの接点に接続されている。一例として、第４ＮＭＯＳトランジスタＮ４にはゲートを通じて第４位相信号ｉｎＢＮが入力される。第４ＮＭＯＳトランジスタＮ４は第４位相信号ｉｎＢＮを第２電流源２３５ａの電流値に対応する大きさで出力する。
【００６９】
第５ＮＭＯＳトランジスタＮ５は第１ＰＭＯＳトランジスタＰ１と第２ＰＭＯＳトランジスタＰ２のゲートの接点に接続されている。一例として、第５ＮＭＯＳトランジスタＮ５にはゲートを通じて第５位相信号ｉｎＣＰが入力される。第５ＮＭＯＳトランジスタＮ５は第５位相信号ｉｎＣＰを第３電流源２３７ａの電流値に対応する大きさで出力する。
【００７０】
第６ＮＭＯＳトランジスタＮ６は第３ＰＭＯＳトランジスタＰ３と第４ＰＭＯＳトランジスタＰ４のゲートの接点に接続されている。一例として、第６ＮＭＯＳトランジスタＮ６にはゲートを通じて第６位相信号ｉｎＣＮが入力される。第６ＮＭＯＳトランジスタＮ６は第６位相信号ｉｎＣＮを第３電流源２３７ａの電流値に対応する大きさで出力する。
【００７１】
第１ＰＭＯＳトランジスタＰ１と第２ＰＭＯＳトランジスタＰ２は電源電圧Ｖｄｄに接続されている。
【００７２】
第２ＰＭＯＳトランジスタＰ２は、第１ＮＭＯＳトランジスタＮ１、第３ＮＭＯＳトランジスタＮ３、及び第５ＮＭＯＳトランジスタＮ５のそれぞれ（又は第１ＰＭＯＳトランジスタＰ１と第２ＰＭＯＳトランジスタＰ２のゲート間の接点）に接続されている。
【００７３】
第１ＰＭＯＳトランジスタＰ１は、第７ＮＭＯＳトランジスタＭ１に接続されており、第１ＮＭＯＳトランジスタＮ１、第３ＮＭＯＳトランジスタＮ３、及び第５ＮＭＯＳトランジスタＮ５の各位相信号（電流源によって大きさが制御された）を結合（ｉｎＡｐ＋ｉｎＢＰ＋ｉｎＣＰ）して出力する。
【００７４】
第３ＰＭＯＳトランジスタＰ３と第４ＰＭＯＳトランジスタＰ４は電源電圧Ｖｄｄに接続されている。
【００７５】
第３ＰＭＯＳトランジスタＰ３は、第２ＮＭＯＳトランジスタＮ２、第４ＮＭＯＳトランジスタＮ４、及び第６ＮＭＯＳトランジスタＮ６のそれぞれ（又は第４ＰＭＯＳトランジスタＰ４と第３ＰＭＯＳトランジスタＰ３のゲートの接点）に接続されている。
【００７６】
第４ＰＭＯＳトランジスタＰ４は、第８ＮＭＯＳトランジスタＭ２に接続されており、第２ＮＭＯＳトランジスタＮ２、第４ＮＭＯＳトランジスタＮ４、及び第６ＮＭＯＳトランジスタＮ６の各位相信号（電流源によって大きさが制御された）を結合（ｉｎＡＮ＋ｉｎＢＮ＋ｉｎＣＮ）して出力する。
【００７７】
第１高調波除去部２３０ａは、第７ＮＭＯＳトランジスタＭ１を通じて第１出力信号ＩＯＵＴＰ１を出力し、第８ＮＭＯＳトランジスタＭ２を通じて第２出力信号ＩＯＵＴＮ１を出力する。
【００７８】
第２高調波除去部２３０ｂも、第１高調波除去部２３０ａと類似の動作を実行し、第３出力信号ＩＯＵＴＰ２と第４出力信号ＩＯＵＴＮ２とを出力する。
【００７９】
高調波除去器２３０は第５周波数信号ＲＦ５を生成する。第５周波数信号ＲＦ５は第１出力信号ＩＯＵＴＰ１〜第４出力信号ＩＯＵＴＮ２を含む。
【００８０】
図４は、図３に示した高調波除去器の出力信号を例示的に示す図である。
【００８１】
図４を参照すると、高調波除去器２３０は第５周波数信号ＲＦ５を出力する。第５周波数信号ＲＦ５は正弦波信号に近接した形態を有する。第５周波数信号ＲＦ５は第１出力信号ＩＯＵＴＰ１〜第４出力信号ＩＯＵＴＮ２を含む。第１出力信号ＩＯＵＴＰ１〜第４出力信号ＩＯＵＴＮ２は正弦波形態の信号である。
【００８２】
図４は第５周波数信号ＲＦ５のうちの第１出力信号ＩＯＵＴＰ１を示している。
【００８３】
第１出力信号ＩＯＵＴＰ１は正弦波（ｓｉｎｅ  ｗａｖｅ）と類似の形態を有する信号である。第１出力信号ＩＯＵＴＰ１は第７ＮＭＯＳトランジスタを通じて出力される信号である。
【００８４】
第１出力信号ＩＯＵＴＰ１は第１電流源〜第３電流源の電流値に対応（１：√２：１）して大きさが制御された位相信号（ｉｎＡｐ＋ｉｎＢＰ＋ｉｎＣＰ）が結合される。ここで、位相信号（ｉｎＡｐ＋ｉｎＢＰ＋ｉｎＣＰ）は所定の位相差（一例として、４５°）を有する信号である。
【００８５】
高調波除去器２３０は、入力される第４周波数信号ＲＦ４を、正弦波形態を有する第５周波数信号に変換することによって第４周波数信号ＲＦ４に含まれた高調波成分を除去することができる。
【００８６】
図５は、図３に示した高調波除去器の高調波除去動作を一例として示す図である。
【００８７】
図５を参照すると、第４周波数信号ＲＦ４のうちの第３位相信号ｉｎＢＰを一例として説明する。
【００８８】
第３位相信号ｉｎＢＰは第１周波数を基準ｆ０として第３次高調波信号３ｆ０と、第５次高調波信号５ｆ０と、を含んでいる。
【００８９】
高調波除去器２３０は、入力された第４周波数信号ＲＦ４（即ち、第３位相信号ｉｎＢＰ）の高調波を除去し、第５周波数信号ＲＦ５、ＩＯＵＴＰを出力する。
【００９０】
図６は、図１に示した選択器の構造を例示的に示す図である。
【００９１】
図６を参照すると、選択器２５０は特定周波数帯域の周波数を選択するための第１スイッチ２５１を含む。
【００９２】
第１スイッチ２５１は、補助周波数選択信号ＦＳＥＬに応答して第５周波数信号ＲＦ５、第６周波数信号ＲＦ６、０ＭＨｚの周波数信号のうちの１つをスイッチングする。第１スイッチ２５１は０ＭＨｚの周波数信号の生成のためにオフ動作（第５周波数信号ＲＦ５と第６周波数信号ＲＦ６の全部をスイッチングしない）を実行するか、又は接地端に接続された０ＭＨｚ端子にスイッチングする。
【００９３】
第１スイッチ２５１はスイッチング制御動作によって第７周波数信号ＲＦ７を出力する。
【００９４】
ここで、第１スイッチ２５１は、説明の便宜のために、１つのスイッチで構成しているが、各周波数信号（第５周波数信号ＲＦ５、第６周波数信号ＲＦ６、０ＭＨｚの周波数信号、第７周波数信号ＲＦ７）の位相信号に対応するように４つのスイッチで構成することができる。
【００９５】
図７は、図１に示した混合器の構造を例示的に示す図である。
【００９６】
図７を参照すると、混合器３００は第１混合部３００ａと第２混合部３００ｂとを含む。第２混合部３００ｂは第１混合部３００ａと類似の構造を有するので、ここでは第１混合部３００ａに基づいて説明する。
【００９７】
第１混合部３００ａは、ＮＭＯＳトランジスタＱ１、Ｑ２、Ｑ３、Ｑ４、Ｓ１、Ｓ２、Ｓ３、Ｓ４、Ｓ５、Ｓ６、Ｓ７、Ｓ８と、負荷抵抗Ｒ１、Ｒ２と、を含む。
【００９８】
第９ＮＭＯＳトランジスタＱ１〜第１２ＮＭＯＳトランジスタＱ４は接地端に接続されている。第９ＮＭＯＳトランジスタＱ１〜第１２ＮＭＯＳトランジスタＱ４にはゲートを通じて第７周波数信号ＲＦ７の４つの位相信号がそれぞれ入力される。第９ＮＭＯＳトランジスタＱ１〜第１２ＮＭＯＳトランジスタＱ４は高調波除去器２３０の出力端に位置したＮＭＯＳトランジスタ（一例として、第７ＮＭＯＳトランジスタＭ１、第８ＮＭＯＳトランジスタＭ２など）と電流ミラー（ｃｕｒｒｅｎｔ  ｍｉｒｒｏｒ）を形成する。
【００９９】
第７周波数信号ＲＦ７は４つの位相を有する正弦波形態の信号である。従って、正弦波形態の第７周波数信号を使うことによって高い次数を有する高調波（一例として、３次高調波、５次高調波など）によるスパー（ｓｐｕｒ：スプリアス）の発生を防止する。即ち、電流が正弦波形態を有すると、電圧の変化が大きな影響を与えないので、スパーの発生が防止される。
【０１００】
第９ＮＭＯＳトランジスタＱ１は第１３ＮＭＯＳトランジスタＳ１と第１４ＮＭＯＳトランジスタＳ２との接点に接続されている。第１０ＮＭＯＳトランジスタＱ２は第１５ＮＭＯＳトランジスタＳ３と第１６ＮＭＯＳトランジスタＳ４との接点に接続されている。第１１ＮＭＯＳトランジスタＱ３は第１７ＮＭＯＳトランジスタＳ５と第１８ＮＭＯＳトランジスタＳ６との接点に接続されている。第１２ＮＭＯＳトランジスタＱ４は第１９ＮＭＯＳトランジスタＳ７と第２０ＮＭＯＳトランジスタＳ８との接点に接続されている。
【０１０１】
第１３ＮＭＯＳトランジスタＳ１、第１５ＮＭＯＳトランジスタＳ３、第１７ＮＭＯＳトランジスタＳ５、及び第１９ＮＭＯＳトランジスタＳ７は第１抵抗Ｒ１を通じて電源電圧Ｖｄｄに接続されている。
【０１０２】
第１４ＮＭＯＳトランジスタＳ２、第１６ＮＭＯＳトランジスタＳ４、第１８ＮＭＯＳトランジスタＳ６、及び第２０ＮＭＯＳトランジスタＳ８は第２抵抗Ｒ２を通じて電源電圧Ｖｄｄに接続されている。
【０１０３】
第１４ＮＭＯＳトランジスタＳ２と第１５ＮＭＯＳトランジスタＳ３にはゲートを通じて第２周波数信号ＲＦ２の第１位相信号が入力される。第１３ＮＭＯＳトランジスタＳ１と第１６ＮＭＯＳトランジスタＳ４には第２周波数信号ＲＦ２の第２位相信号が入力される。第１８ＮＭＯＳトランジスタＳ６と第１９ＮＭＯＳトランジスタＳ７には第２周波数信号ＲＦ２の第３位相信号が入力される。第１７ＮＭＯＳトランジスタＳ５と第２０ＮＭＯＳトランジスタＳ８には第２周波数信号ＲＦ２の第４位相信号が入力される。
【０１０４】
第１３ＮＭＯＳトランジスタＳ１〜第２０ＮＭＯＳトランジスタＳ８のそれぞれは第２周波数信号ＲＦ２と第７周波数信号ＲＦ７とを混合して出力する。
【０１０５】
第１３ＮＭＯＳトランジスタＳ１、第１５ＮＭＯＳトランジスタＳ３、第１７ＮＭＯＳトランジスタＳ５、及び第１９ＮＭＯＳトランジスタＳ７は第１抵抗Ｒ１との接点を通じてＩ成分の位相信号を出力する。
【０１０６】
第１４ＮＭＯＳトランジスタＳ２、第１６ＮＭＯＳトランジスタＳ４、第１８ＮＭＯＳトランジスタＳ６、及び第２０ＮＭＯＳトランジスタＳ８は第２抵抗Ｒ２との接点を通じてＩ成分の位相信号を出力する。
【０１０７】
上述のように、第１混合部３００ａはＩ成分の位相信号を出力し、第２混合部３００ｂはＱ成分の位相信号を出力する。
【０１０８】
Ｉ成分の位相信号とＱ成分の位相信号は第８周波数信号ＲＦ８又は第９周波数信号ＲＦ９を構成する。
【０１０９】
詳細に図示しないが、第１混合部３００ａと第２混合部３００ｂのそれぞれは符号選択信号ＳＳＥＬに応答して第７周波数信号ＲＦ７の符号＋／−を切り替えて結合する。
【０１１０】
図８は、図１に示したスイッチの構造を例示的に示す図である。
【０１１１】
図８を参照すると、スイッチ４００は第２スイッチ４１０を含む。
【０１１２】
第２スイッチ４１０は、分周選択信号ＤＳＥＬに応答して第８周波数信号ＲＦ８が出力されるようにスイッチングし、第９周波数信号ＲＦ９を第１分周器５００に出力するようにスイッチングする。
【０１１３】
第２スイッチ４１０は、説明の便宜のために、１つのスイッチで構成しているが、各周波数信号（第７周波数信号ＲＦ７、第８周波数信号ＲＦ８、第９周波数信号ＲＦ９）のそれぞれの位相信号に対応するように４つのスイッチで構成することができる。
【０１１４】
図９は、本発明の一実施形態による周波数信号生成装置を適用した送信機の構造を示す図である。
【０１１５】
図９を参照すると、送信機は、基底帯域部６１０と、デジタルアナログ変換器（ＤＡＣ）６２０と、混合器６３０と、無線フィルタ６４０と、電力増幅器（ＰＡ）６５０と、無線部６６０と、周波数生成器６７０と、を含む。
【０１１６】
基底帯域部６１０は基底帯域（ベースバンド）のデジタル信号を生成する。デジタルアナログ変換器６２０はデジタル信号をアナログ信号に変換する。
【０１１７】
周波数生成器６７０は送信機から送信される送信信号の周波数帯域を支援するための周波数信号を生成する。ここで、本発明の周波数信号生成装置を周波数生成器６７０に適用することができる。
【０１１８】
混合器６３０はデジタルアナログ変換器６２０から出力された送信信号と周波数生成器６７０から出力された周波数信号とを混合する。
【０１１９】
無線フィルタ６４０は混合器６３０の出力信号をフィルタリングする。フィルタリングを通じて無線フィルタ６４０は特定周波数帯域の送信信号をフィルタリングする。無線フィルタ６４０は一例として、低域通過フィルタである。
【０１２０】
電力増幅器６５０は無線フィルタ６４０から出力された送信信号を電力増幅して無線部６６０に出力する。
【０１２１】
無線部６６０は、電力増幅器６５０の出力信号を、アンテナを通じて送信する。
【０１２２】
図９は周波数信号生成装置が適用されたものを説明するために一例として示した図である。従って、本発明で提案した周波数信号生成装置は図９の送信機の構造にだけ限定されるものではない。
【０１２３】
以上、本発明の実施形態について図面を参照しながら説明したが、本発明は、上述の実施形態に限定されるものではなく、本発明の技術的範囲から逸脱しない範囲内で多様に変更実施することが可能である。
【符号の説明】
【０１２４】
１００    基準周波数信号生成器
１１０    第１位相固定ループ
１１１    位相検出器
１１２    電荷ポンプ
１１３    ループフィルタ
１１４    電圧制御発振器
１１５    第５分周器
１２０    第２分周器
２００    補助周波数信号生成器
２１０    第２位相固定ループ
２２０    第３分周器
２３０    高調波除去器
２３０ａ    第１高調波除去部
２３０ｂ    第２高調波除去部
２３１ａ    第１位相信号選択器
２３３ａ、２３５ａ、２３７ａ    電流源
２４０    第４分周器
２５０    選択器
２５１    第１スイッチ
３００、６３０    混合器
３００ａ    第１混合部
３００ｂ    第２混合部
４００    スイッチ
４１０    第２スイッチ
５００    第１分周器
６００    制御回路
６１０    基底帯域部
６２０    デジタルアナログ変換器（ＤＡＣ）
６４０    無線フィルタ
６５０    電力増幅器（ＰＡ）
６６０    無線部
６７０    周波数生成器
【図１】
2011160416.tif 000004
【図２】
2011160416.tif 000005
【図３】
2011160416.tif 000006
【図４】
2011160416.tif 000007
【図５】
2011160416.tif 000008
【図６】
2011160416.tif 000009
【図７】
2011160416.tif 000010
【図８】
2011160416.tif 000011
【図９】
2011160416.tif 000012